(57)【要約】【課題】ゴルフクラブに衝突しても折れにくく、かつ、紛失する心配の無いティーを提供する。【解決手段】地面に鉛直状に差込むための支持軸１と、支持軸１の鉛直軸心Ｌ１廻りに回転自在に基部１２が枢結されると共に先端部１３にゴルフボール載置用の小凹部１１を有する回転アーム部３とを、具備している。【選択図】図１
2013236679.tif 000002
【特許請求の範囲】
【請求項１】
地面に鉛直状に差込むための支持軸（１）と、該支持軸（１）の鉛直軸心（Ｌ１）廻りに回転自在に基部（１２）が枢結されると共に先端部（１３）にゴルフボール（Ｂ）載置用の小凹部（１１）を有する回転アーム部（３）とを、具備したことを特徴とするティー。
【請求項２】
上記回転アーム部（３）が、上記支持軸（１）に軸受（２）を介して上記鉛直軸心（Ｌ１）廻りに回転自在に枢結されている請求項１記載のティー。
【請求項３】
上記軸受（２）は、上記支持軸（１）に沿って上下移動固定自在として該支持軸（１）に取付けられている請求項２記載のティー。
【請求項４】
上記回転アーム部（３）は、水平状に延伸して、乃至、先端上傾状に延伸して形成されている請求項１，２又は３記載のティー。
【請求項５】
基部（１２）に軸受（２）を有し、該基部（１２）から水平状乃至先端上傾状に延伸した支持杆部（１５）と、該支持杆部（１５）の先端に連設されると共にゴルフボール（Ｂ）載置用の小凹部（１１）を有する先端部（１３）とを、備えていることを特徴とする回転アーム。
【発明の詳細な説明】
【技術分野】
【０００１】
本発明は、ゴルフ用のティー及び回転アームに関する。
【背景技術】
【０００２】
従来、ゴルフのショット時にボールを乗せるティーが使用されている（特許文献１参照）。
【先行技術文献】
【特許文献】
【０００３】
【特許文献１】特開２０１０−１７８９８６号公報
【発明の概要】
【発明が解決しようとする課題】
【０００４】
しかし、従来のティーは、ゴルフクラブでティーアップしたゴルフボールを打撃した際、ゴルフクラブがティーのヘッドに衝突し、その衝撃で折れてしまうことが多かった。また、ゴルフクラブによる打球時に、ティーごと弾き飛ばされてしまい、折れなかったとしてもなくなってしまうという欠点があった。
【０００５】
そこで、本発明は、ゴルフクラブに衝突しても折れにくく、かつ、紛失する心配の無いティーを提供することを目的とする。
【課題を解決するための手段】
【０００６】
本発明に係るティーは、地面に鉛直状に差込むための支持軸と、該支持軸の鉛直軸心廻りに回転自在に基部が枢結されると共に先端部にゴルフボール載置用の小凹部を有する回転アーム部とを、具備したものである。
【０００７】
また、上記回転アーム部が、上記支持軸に軸受を介して上記鉛直軸心廻りに回転自在に枢結されているものである。
また、上記軸受は、上記支持軸に沿って上下移動固定自在として該支持軸に取付けられているものである。
また、上記回転アーム部は、水平状に延伸して、乃至、先端上傾状に延伸して形成されているものである。
【０００８】
また、本発明に係る回転アームは、基部に軸受を有し、該基部から水平状乃至先端上傾状に延伸した支持杆部と、該支持杆部の先端に連設されると共にゴルフボール載置用の小凹部を有する先端部とを、備えているものである。
【発明の効果】
【０００９】
本発明のティーによれば、ゴルフクラブでゴルフボールを打撃した際、回転アーム部が旋回して、打球時の衝撃を受け流すことができ、回転アーム部が折れるのを防止でき、破損しにくい。また、飛び去って紛失することが少なく、経済的負担を軽減できる。
【００１０】
また、本発明の回転アームによれば、ゴルフクラブの打撃による衝撃を、回転力として受け流すことができ、折れるのを防止でき、破損しにくい。また、飛び去って紛失することが少なく、経済的負担を軽減できる。
【図面の簡単な説明】
【００１１】
【図１】本発明の実施の一形態を示した斜視図である。
【図２】本発明の使用状態を示した断面正面図である。
【図３】本発明の実施の一形態を示した斜視図である。
【図４】本発明の他の実施形態の要部を示した斜視図である。
【図５】本発明の別の実施形態の要部を示した断面正面図である。
【図６】本発明のさらに別の実施形態の要部を示した斜視図である。
【図７】ショット前の使用状態を示した作用説明のための図であり、（Ａ）はゴルフボールをティーアップした状態を示したショット前の簡略図であり、（Ｂ）は拡大平面図である。
【図８】ショット後の使用状態を示した作用説明のための図であり、（Ａ）はショット後の簡略図であり、（Ｂ）は拡大平面図である。
【発明を実施するための形態】
【００１２】
以下、実施の形態を示す図面に基づき本発明を詳説する。
図１と図２に示すように、本発明のティーは、地面に鉛直状に差込むための支持軸１と、支持軸１の鉛直軸心Ｌ１廻りに回転自在に基部１２が枢結されると共に先端部１３にゴルフボールＢ載置用の小凹部１１を有する回転アーム部３とを、具備している。
支持軸１は、木又はプラスチックから成り、下方へ次第に縮径するヘッド１Ａと、ヘッド１Ａに連設される棒状の中間部１Ｂと、先端に向けて緩やかなテーパーとなる先端部１Ｃとを、有している。図１では、支持軸１は、上面にゴルフボールを載置可能な凹状面を有する（従来から広く知られている）ティーを使用している。なお、図４に示すように、支持軸１は、ヘッド１Ａ上面にゴルフボールを載置できなくても良く、ヘッド１Ａが円盤形状であって、その上面が平坦面状に形成されたものでも良い。
【００１３】
回転アーム部３は、硬質プラスチックから成り、円環形状に形成された基部１２から（水平状乃至先端上傾状に）支持杆部１５を延伸し、この支持杆部１５の先端（先端部１３）に、ゴルフボールＢ載置用の小凹部１１を連設している。回転アーム部３は、先端部１３にゴルフボールＢを載置してティーアップすることができるように構成され、小凹部１１の上面はゴルフボールＢを安定して保持できるように中央部が凹状に窪んでいる。
【００１４】
回転アーム部３は、基部１２に軸受２を有し、支持軸１に軸受２を介して鉛直軸心Ｌ１廻りに回転自在に枢結されている。
図２に示すように、軸受２は、外輪２１と内輪２２の間に複数のボール２０を組み込んだボールベアリング（玉軸受）から成り、複数のボール２０を保持するためのリテーナ２３を具備している。軸受２は、外輪２１が回転アーム部３の基部１２に内嵌状に固着されており、内輪２２の中央に設けられた孔部には支持軸１の中間部１Ｂが挿通されている。
なお、図５に示すように、軸受２は、スベリ軸受としても良く、回転アーム部３の基部１２にスベリ軸受筒体３２を固着して、このスベリ軸受筒体３２に支持軸１を挿入して中間部１Ｂにて保持している。
【００１５】
軸受２は、支持軸１に沿って上下移動固定自在として支持軸１に取付けられている。
軸受２は、図２に於て、内輪２２の下面に当接すると共に支持軸１の中間部１Ｂに外嵌状に取付けられる保持部材１６によって、支持軸１の中間高さ位置で保持されている。保持部材１６は、円環状弾性部材から成り、その内径が支持軸１の中間部１Ｂの外径よりも僅かに小さく設定されている。保持部材１６は、材質がゴム、軟質プラスチックであって、弾性力をもって支持軸１に上下方向の自由な位置に取着可能であり、軸受２を上下方向に自由に移動して所望の取付位置での固定が可能である。つまり、回転アーム部３は高さ調整が可能であり、その先端部１３に載置されるゴルフボールＢの高さ（即ち、ティーアップの高さ）はプレイヤーの好みに応じて調整可能となっている。地表面からゴルフボールＢの中心Ｇまでの高さ寸法Ｈを、２５ｍｍ〜１１０ｍｍに調整できるように構成する。なお、ドライバーを使用する際は、高さ寸法Ｈを２５ｍｍ〜９０ｍｍとするのが好ましい。また、フェアウェイウッド、ユーティリティクラブ、あるいは、アイアンを使用する際は、２５ｍｍ〜５０ｍｍとするのが好ましい。
【００１６】
回転アーム部３は、水平状に延伸して、乃至、先端上傾状に延伸して形成されている。
水平線に対する回転アーム部３（支持杆部１５）の傾斜角度θは、０°≦θ≦６０°に設定されている。回転アーム部３の傾斜角度θが０°より小さいと、十分なティーアップができずプレイヤーにとって使い勝手が良くない。また、回転アーム部３の傾斜角度θが６０°より大きいと、ゴルフクラブとの衝突により回転アーム部３が折れて破損しやすくなる。より好ましくは、５°≦θ≦４５°となるように設定されるのが望ましい。
また、回転アーム部３は、ゴルフボールＢの中心Ｇから鉛直軸心Ｌ１までの長さ寸法Ｌが、２０ｍｍ〜８０ｍｍになるように設定されている。なお、ドライバーを使用する際は、長さ寸法Ｌを５０ｍｍ〜８０ｍｍとするのが好ましい。また、フェアウェイウッド又はユーティリティクラブを使用する際は、２０ｍｍ〜５０ｍｍとし、アイアンでは、２０ｍｍ〜４０ｍｍとするのが好ましい。長さ寸法Ｌが、下限値未満であると、ゴルフボールＢを打つ時にゴルフクラブが支持軸１に衝突（接触）して、支持軸１ごと弾き飛ばされてしまう虞れがあり、上限値を越えると、回転アーム部３がゴルフクラブによる打撃の衝撃に耐えきれず回転アーム部３が折れて破損しやすくなる。
【００１７】
なお、図３に示すように、本発明は、プレイヤー自前の（従来から用いられてきた）ティー１００を使用し、このティー１００に取付けて用いる回転アームとして構成されたものであって良い。本発明の回転アームは、上述の回転アーム部３そのものであって、基部１２に軸受２を有し、基部１２から水平状乃至先端上傾状に延伸した支持杆部１５と、支持杆部１５の先端に連設されると共にゴルフボールＢ載置用の小凹部１１を有する先端部１３とを、備えている。
【００１８】
上述した本発明のティー及び回転アームの使用方法（作用）について説明する。
図２と図７に示すように、支持軸１を地面に鉛直状に差込むと共にゴルフボールＢを回転アーム部３の小凹部１１に載置して、かつ、ゴルフボールＢ（回転アーム部３の先端部１３）がプレイヤー側（手前）にくるようにして、ティーアップした状態で設置する。プレイヤーは、目標を定めてショットする。この際、ティーアップするゴルフボールＢの高さ寸法Ｈは、調整自在であって、プレイヤーの好みによって設定を変更することができる。
【００１９】
図８に示すように、プレイヤーのショット時に、ゴルフクラブでゴルフボールＢが打撃され、それと同時に、ゴルフクラブが回転アーム部３の先端部１３に衝突する。この際、支持軸１（ティー１００）は、ゴルフクラブに接触しないので弾き飛ばされることがなく、回転アーム部３が回転することで、ゴルフクラブとの衝突による衝撃をまともに受けないように逃がしている。言い換えると、回転アーム部３は、鉛直軸心Ｌ１廻りにクルクルと回転して、ゴルフクラブとの衝突によるエネルギーを吸収する。
【００２０】
なお、本発明は、設計変更可能であって、例えば、図６に示すように、軸受２は、ブッシュ型の保持部材２６を介して、支持軸１に間接的に取付けられていても良い。また、軸受２は、内輪２２の内径を支持軸１の中間部１Ｂよりも僅かに小さく設計する等して、摩擦抵抗をもって支持軸１に取付けて上下方向に固定自在とし、保持部材１６，２６を省略した構造としても良い。
【００２１】
以上のように、本発明に係るティーは、地面に鉛直状に差込むための支持軸１と、支持軸１の鉛直軸心Ｌ１廻りに回転自在に基部１２が枢結されると共に先端部１３にゴルフボールＢ載置用の小凹部１１を有する回転アーム部３とを、具備したので、ゴルフクラブでゴルフボールＢを打撃した際、回転アーム部３が旋回して、打球による衝撃を受け流すことができ、回転アーム部３が折れるのを防止でき、破損しにくい。また、支持軸１ごと飛び去って紛失することが少なく、経済的負担を軽減できる。
【００２２】
また、回転アーム部３が、支持軸１に軸受２を介して鉛直軸心Ｌ１廻りに回転自在に枢結されているので、回転アーム部３がスムーズにクルクルと回転して、ゴルフボールＢ打球時の衝撃を逃がして、確実に破損を防止することができる。
【００２３】
また、軸受２は、支持軸１に沿って上下移動固定自在として支持軸１に取付けられているので、ティーアップするゴルフボールＢの高さ寸法Ｈが調整可能となり、プレイヤーの好みによって設定を変更することができる。
【００２４】
また、回転アーム部３は、水平状に延伸して、乃至、先端上傾状に延伸して形成されているので、ゴルフボールＢを打撃した際の衝撃を確実に逃がして破損を防止でき、かつ、使い勝手が良い。
【００２５】
また、本発明に係る回転アームは、基部１２に軸受２を有し、基部１２から水平状乃至先端上傾状に延伸した支持杆部１５と、支持杆部１５の先端に連設されると共にゴルフボールＢ載置用の小凹部１１を有する先端部１３とを、備えているので、ゴルフクラブの打撃による衝撃を、回転力として受け流すことができ、折れるのを防止でき、破損しにくい。また、飛び去って紛失することが少なく、経済的負担を軽減できる。
【符号の説明】
【００２６】
１  支持軸
２  軸受
３  回転アーム部
１１  小凹部
１２  基部
１３  先端部
１５  支持杆部
Ｌ１  鉛直軸心
Ｂ  ゴルフボール
【図１】
2013236679.tif 000003
【図２】
2013236679.tif 000004
【図３】
2013236679.tif 000005
【図４】
2013236679.tif 000006
【図５】
2013236679.tif 000007
【図６】
2013236679.tif 000008
【図７】
2013236679.tif 000009
【図８】
2013236679.tif 000010